(57)【特許請求の範囲】
【請求項１】
被検体の同一部位を含む複数の医用画像のデータを記憶する記憶部と、
前記複数の医用画像を一枚ずつ次々と切り替えながら画面上の略同一位置に表示する表示部とを具備し、
前記複数の医用画像は、異なる種類の複数の医用画像及びスライス位置の異なる複数の医用画像を含み、
前記表示部は、同じスライス位置の前記異なる種類の複数の医用画像を前記画面上の略同一位置で切り替える規則、異なるスライス位置の同じ種類の複数の医用画像を前記画面上の略同一位置で切り替える規則によって、前記複数の医用画像の切り替え表示を可能とすることを特徴とする医用画像表示装置。
【請求項２】
請求項１において、前記複数の医用画像は、医用画像を得るために必要な複数の撮影パラメータのうちスライス位置又は撮影時刻を除く少なくとも１つの異なる撮影パラメータによって撮影され発生された被検体の同一部位を含む異なる種類の複数の医用画像であることを特徴とする医用画像表示装置。
【請求項３】
請求項１において、前記複数の医用画像は、異なる種類のモダリティによって発生された異なる種類の複数の医用画像であることを特徴とする医用画像表示装置。
【請求項４】
請求項１において、前記複数の医用画像は、同じ又は同種のモダリティによって異なる時期に発生された被検体の同一部位に関する現在及び過去の医用画像であることを特徴とする医用画像表示装置。
【請求項５】
請求項１において、前記複数の医用画像は、前記被検体以外の他の被検体又は標準ファントムの対象に関する基準画像であることを特徴とする医用画像表示装置。
【請求項６】
請求項１において、前記表示部は、前記複数の医用画像の画像中心を画面の特定位置に一致させて切り替え表示することを特徴とする医用画像表示装置。
【請求項７】
請求項１において、前記表示部は、前記複数の医用画像の解剖学的位置を合わせて切り替え表示することを特徴とする医用画像表示装置。
【発明の詳細な説明】
【技術分野】
【０００１】
本発明は、医用画像表示装置に関する。
【背景技術】
【０００２】
医用画像発生装置として例えば磁気共鳴映像装置（ＭＲＩ装置）では、縦緩和強調（Ｔ１）、横緩和強調（Ｔ２）、プロトン密度、FLAIR、脂肪抑制、DWI,PWI,機能画像（f-ＭＲＩ）、ＭＲスペクトロスコピー（MRS）など、枚挙にいとがないほどの多様な画像の撮像が可能である。Ｘ線コンピュータ断層撮影装置（Ｘ線ＣＴ）でも通常のＣＴ値の解剖画像のみならず血流など機能画像の複数種が撮像される場合がある。フィルムをシャーカステンにならべて表示する場合が多いが、同一被検体の複合モダリティの画像をとりこんで表示する装置も多くなってきた。
【０００３】
現在、医師が読影する場合は、図７に示すように、同一部位に関する複数種類の画像をフィルムまたはモニター上にならべて表示し、同一解剖部位に相当する場所に互いに視点を移動させながら観察している。一方、別々の位置に並べるのではなく、互いにモノクロとカラーなどにして同一画像に重ねて（フュージョン法）比較する方法は、Ｘ線ＣＴ、ＳＰＥＣＴ（シングル・フォトン・エミッション・コンピューテッド・トモグラフィ）、ＰＥＴ（ポジトロン・エミッション・コンピューテッド・トモグラフィ）はすでに報告され一般的になってきており（非特許文献１，２参照）、ＭＲＩでもf-ＭＲＩやＭＲＳでは市販品やフリーソフトですでに実施されている（非特許文献３参照）。
【０００４】
現状の「複数種類の画像を並べて比較して診る」ことによる読影では、並べられた数種類の画像を視点を移動しながら読影するので目の疲労を伴い、読影に時間を要する。これはフィルムでなく表示装置のモニターであっても同様な状況である。また画像を並べて比較する場合、医師の視点が移動してしまうため、解剖学的な細部の比較しての診断は困難である。動的な表示は、ディスクまたは表示メモリー上で論理ファイルの順番がそのように並んでいるためという事情もあり、空間的スライス方向や時間軸方向での同一フレーム上でのシーケンシャルな表示の例はあるが、意図的な機能として作成されたものではないため、多様な順番では表示できない。マルチフレーム表示もあるが、フレームの順番はスライス方向またはパラメータ方向である。
【０００５】
また、比較される画像も撮像条件の制約などから解剖学的に異なるスライス位置の場合も多く、またEPIなどでは画像の歪もSE画像などと比べ大きく比較がしにくい。
【０００６】
単純に撮像した画像を並べて表示する場合、規格化されていないと対象によって輝度やカラーが一定でなく、客観的に比較しにくい。ＭＲの場合、現状では輝度情報はぜいぜい白、灰、黒の３段間程度しか判断できていないといわれる。またフュージョン法では、互いに重なってしまうため、重ねる片方の画像は空間分解能の小さいものや局所性があるものに限られ、ＭＲＩでルーチン的に使用されるＴ１強調，Ｔ２強調などの全体にコントラストがある画像どうしなど、重ねる画像によっては関連がわかりにくい場合があるし、重ねる前の画像を判別できるのはせいぜい２種類までである。またカラーが一般的でない種類の画像には適さない。なお、先行技術文献として主なものは次の通りである。
【先行技術文献】
【非特許文献】
【０００７】
【非特許文献１】Ratib O. PET/CT image navigation and communication. Jnucl Med. Jan;45 Suppl 1:46S-55S.(2004)
【非特許文献２】Joseph Hajnal, D.J.Hawkes, Derek Hill, J V Hajnal. Medical Image Registration; CRC Press.
【非特許文献３】Friston KJ, Ashburner J, Poline JB, Frith CD, Heather JD, Frackowiak RSJ. Spatial Registration and Normalization of Images Human Brain Mapping 2:165-189 (1995)
【発明の概要】
【発明が解決しようとする課題】
【０００８】
目的は、医用画像表示装置において、画像診断効率の向上を図ることにある。
【課題を解決するための手段】
【０００９】
本発明のある局面は、被検体の同一部位を含む複数の医用画像のデータを記憶する記憶部と、前記複数の医用画像を一枚ずつ次々と切り替えながら画面上の略同一位置に表示する表示部とを具備し、前記複数の医用画像は、異なる種類の複数の医用画像及びスライス位置の異なる複数の医用画像を含み、前記表示部は、同じスライス位置の前記異なる種類の複数の医用画像を前記画面上の略同一位置で切り替える規則、異なるスライス位置の同じ種類の複数の医用画像を前記画面上の略同一位置で切り替える規則によって、前記複数の医用画像の切り替え表示を可能とすることを特徴とする。
【発明の効果】
【００１０】
医用画像表示装置において、画像診断効率の向上を図ることができる。
【図面の簡単な説明】
【００１１】
【図１】図１は本発明の実施形態に係る画像表示装置の構成を示す図である。
【図２】図２は図１の表示制御部による画像切り替え規則を示す図である。
【図３】図３は図１の表示制御部による他の画像切り替え規則を示す図である。
【図４】図４は図１の制御部による画像表示全体の処理の流れを示す図である。
【図５】図５は図１のＲＯＩ処理部による処理結果の表示例を示す図である。
【図６】図６は図１の入力部に設置された画像切り替え規則選択のための操作デバイスを示す図である。
【図７】図７は従来の画像表示画面例を示す図である。
【発明を実施するための形態】
【００１２】
以下図面を参照して本発明の実施形態を説明する。  
図１に示す本実施形態に係る医用画像表示装置は、ＭＲＩ装置（磁気共鳴イメージング装置）、Ｘ線ＣＴ装置（Ｘ線コンピュータトモグラフィ装置）、超音波診断装置、ＳＰＥＣＴ装置（シングル・フォトン・エミッション・コンピュータトモグラフィ装置）、ＰＥＴ装置（ポジトロン・エミッション・トモグラフィ装置）、内視鏡等の医用画像発生装置で発生された医用画像の表示に係るいわゆるビューワと呼ばれる装置である。本実施形態に係る医用画像表示装置は、通信部７を通じてＰＡＣＳ等の画像データベース、ＭＲＩ装置やＸ線ＣＴ等の画像発生装置に接続され、画像データベースや画像発生装置から読影対象とされる複数の医用画像のデータを受信する。医用画像のデータは典型的には断層画像又は投影画像であるが、多断面の断層画像やボクセル表現されたボリュームデータも含まれる。画像記憶部２には、複数の医用画像が記憶される。複数の医用画像は、被検体、撮影パラメータ、スライス位置（撮影位置）、撮影時期（又は撮影時刻）の少なくとも一つが相違する。撮影パラメータには、ＭＲＩ（磁気共鳴イメージング）であれば、撮影手順（パルスシーケンス）の型の違いや、その撮影手順内のエコー時間ＴＥ、繰り返し時間ＴＲ、ＲＦパルスの幅及び振幅、傾斜磁場パルス幅及び振幅等が含まれる。
【００１３】
画像記憶部２に記憶される複数の医用画像のデータには、同一種類の画像発生装置によって発生された被検体の同一部位に関する異なる種類の複数の医用画像のデータが含まれる。また、画像記憶部２に記憶される複数の医用画像のデータには、同じ又は同種の画像発生装置によって異なる時期に発生された被検体の同一部位に関する現在の医用画像と２週間前等の過去の医用画像のデータが含まれる。また、画像記憶部２に記憶される複数の医用画像のデータには、被検体以外の他の被検体や標準ファントム等の対象に関する基準画像（標準画像）が含まれる。
【００１４】
ここでは説明の便宜上、表示対象画像として、同一の被検体に関する同一部位に関するＭＲＩ装置による縦緩和強調画像、横緩和強調画像、プロトン密度画像を例に説明する。
【００１５】
本実施形態に係る医用画像表示装置は、通信部７及び画像記憶部２とともに、装置全体の中枢としての制御部１、画像表示部３、入力部４、表示対象の画像に対して後述の処理を施す画像処理部５、画像処理部５で処理された画像が画像表示部３に後述するよう表示されるように画像表示部３を制御する表示制御部６を有する。
【００１６】
画像処理部５は、複数の表示対象画像の間で解剖学的な位置を合わせるとともに、必要に応じて画像の大きさ及びスライスの向きを略統一するための位置合わせ処理部８、ゲインのばらつきや撮影パラメータによる画素値のばらつきを軽減するための画素値補正部９、表示対象画像と同じ部位に関する基準画像との比又は差異を画素値とするマップを作成するマップ作成部１０、関心領域（ＲＯＩ）内の画素値又はその画素値と当該部位の標準画素値との比或いは差異に関する医用画像間の変化を表す図形等を発生するＲＯＩ処理部１１、多断面の断層画像やボリュームデータから表示対象画像としての断層画像を再構成するリスライシング処理部１２を有する。なお、上記基準画像は、典型的には、同じ被検体に関する過去に撮像した画像、統計学的に処理された正常又は異常症例に関する標準画像である。また標準画像は、疾患ごとに作成される。
【００１７】
以下に本実施形態に係る医用画像表示装置が有する主な機能と表示手順について説明する。  
（１）画像表示機能（表示制御部６）  
表示制御部６は、図２に示すように、画像記憶部２に記憶されている複数の表示対象画像としてここでは同一被検体の同一部位、さらに同一スライスに関する３種のＭＲＩ画像を、画像表示部３の画面上での表示位置をほぼ固定して、ページを捲るように、ある一定の時間間隔で順次切り替えながら表示させる。表示対象画像を、画像表示部３の画面上での同じ位置（画像中心を画面の特定位置に一致させる）に、しかも画像間の解剖学的位置を合わせて切り替え表示することにより、解剖学的に同じ部分は画面の同じ位置に表示される。従って被検体の特定部分に注目して読影しているとき、読影医師は画面の特定位置に視点を固定している状態で、当該部分が複数種類の表示対象画像上でどのような陰影で表示されるかを把握することができる。
【００１８】
画面内の画像表示エリアや画像切り替えの時間間隔などの表示条件は、プリセットされ、また必要に応じて入力部４を介してマニュアルで調整される。表示される画像の条件によって必要ならば、位置合わせ処理部８により２次元または３次元的に表示対象画像間の解剖学的な位置合わせがなされ、また大きさや形状が修正される。
【００１９】
図２に示すように単一画面領域（シングルフレーム）内で撮影パラメータに従って画像を切り替えるようにしてもよいし、図３（ａ）に示すように、画面を複数の画面要素（マルチフレーム）に分割し、複数の画面要素に、スライス位置又は撮影時刻の相違する複数の画像を並べて表示し、各画面領域内で撮影パラメータに従って画像を切り替えるようにしてもよい。また、図３（ｂ）に示すように、シングルフレーム内で撮影パラメータに従って画像を切り替え、その後、スライス位置又は撮影時刻を移動し、そのスライス位置又は撮影時刻で撮影パラメータに従って画像を切り替え、それを繰り返すようにしてもよい。
【００２０】
表示制御部６による表示機能には次のようなモードがある。  
ａ）表示遷移(transition)に関わる機能として、現在表示している表示対象画像から次の表示対象画像にフェードインフェードアウトしながら切り替わるモードと、現在表示している表示対象画像から次の表示対象画像に瞬間的に切り替わるモードとがある。フェードインフェードアウトモードでは、瞬間的に切り替えるモードよりも、切り替わり前後の画像間の比較が容易になる。
【００２１】
ｂ）表示遷移のタイミングをマニュアルでトリガするマニュアルモードと、アニメーションのように毎秒１乃至３０フレームのレートで表示対象画像が自動的に次々と切り替わり、それが何度も反復されるオートアニメーションモードがある。オートアニメーションモードが選択されているとき、定期的に繰り返されることにより反復した比較のチェックが可能である。レートは手動調整可能である。瞬時、フェードインフェードアウトの切り替わりのバリエーションは選択可能である。
【００２２】
ｃ）マッピング処理（マップ作成部１０）  
表示対象画像と同じ部位に関する基準画像との比又は差異からなるマップを作成する機能であり、オリジナルの表示対象画像（絶対値画像ともいう）に代えて表示され得る。基準画像は画像記憶部２にあらかじめ記憶され、またはインターネット回線を経由して外部の標準画像データベースから取得される。基準画像としては、同一被検体に関する過去の画像、同じ部位に関する同じ症例に係る標準画像、または同じ部位に関する正常な標準画像である。データベースは正常者のみの値でなく、特定疾患毎に作成されてあるデータベースとも比較可能である。将来的にはComputer Aided Diagnosis （CAD）への展開も可能である。
【００２３】
ｄ）関心領域処理（ＲＯＩ処理部１１）  
入力部４の適当な操作により表示対象画像又はマップ上に設定された関心領域（ＲＯＩ）内の画素値又はその導出値の変化が図形で作成される（図５（ａ）、図５（ｂ）参照）。その図形はオリジナルの表示対象画像（絶対値画像）やマップに代えて表示され得る。導出値として典型的には、ＲＯＩ内の複数画素の画素値平均、標準偏差（ＳＤ）、歪度(skewness)である。撮影パラメータの相違で表示対象画像が選択されているときは撮影パラメータと画素値との関連性が表現され、撮影時刻の相違で表示対象画像が選択されているときは画素値の時間的な変化（病変の経過）が表現される。また、臓器を分割して各分割領域にＲＯＩを設定したとき、分割領域間の画素値又はその導出値の変化が作成される。分割例としては、肝臓区域、肺区域、脳血管支配領域、神経支配機能別などがある。
【００２４】
次に画像表示手順について説明する。  
図４のフローチャートにしたがって説明する。表示対象画像（読影対象画像）として例えばＭＲＩ装置で収集された同一被検体で同一部位に関する撮影パラメータの相違する縦緩和強調画像、横緩和強調画像、プロトン密度画像が、通信装置７を経由して供給され、磁気ディスクまたは大容量の半導体メモリーで構成される記憶部２に記憶される（Ｓ１１）。
【００２５】
記憶された表示対象画像は画像処理部５で、読影医師からその場で与えるか、あるいは事前にあらかじめ与えられて記憶されてあるコントロール情報をもとに処理される。コントロール情報をもとに必要ならば標準データベースの標準画像を参照して、画像間の位置合わせ、画素値（輝度）補正が行われる（Ｓ１２）。
【００２６】
ＭＲＩの場合、被検体が寝台上に横たわっている状態のままで、複数種の画像を収集できるので、解剖学的な位置合わせは基準さえ決まれば、位置補正は画像データに付随している位置情報をもとに比較的容易に行うことができる（Ｓ１３）。なお、位置補正は同一検査で収集した同一被検体の画像が表示対象であれば、ほとんど不要であるが、スライスが異なっている場合はリスライシングを行う必要がある。また、同じ被検体でも過去の画像データと合わせる場合は、基準画像を選択してスライス角度や平行移動も考慮して基準画像に形状を３次元的に合わせる必要がある。同一被検体で変形がなければ、剛体と考えたアファイン変換のみで十分である。同一被検体でも基準画像からの変形が大きければ、また同一被検体でなければ、非剛体変換が必要である。なるべく人の随時与えるコントロール情報は少なくして行う。運用形態が決まればあらかじめファイルに設定しておき、参照するだけでコントロールできるようにする。
【００２７】
ゲインのばらつきや撮影パラメータの違いによる画像間の画素値変動を抑圧するために一次関数（y=ａＸ+ｂ,  where, Ｘ:入力画素値、y:出力画素値）を使った正規化処理である（Ｓ１４）。ａ,ｂの決定法は、与えられた画像から算出する場合や、ある統計的に算出された値を用いる場合がある。ＭＲＩの場合、ハードウェア、受信ゲインなどの収集条件を一定にしておけば検査間でばらつくことはあまりないが、同一装置でもそれ以外の場合や、異種装置の画像も用いる場合は画素値のなんらかの正規化が必要となる。
【００２８】
必要な位置補正や変形等の処理を行った表示対象画像は表示制御部６の表示メモリーに転送され、表示制御部６の表示が開始される（Ｓ１６）。表示は初期的には連続的にアニメーションで表示対象画像が間欠的に表示される。読影医師のコントロール下またはあらかじめ設定されてあるコントロール情報から、撮影パラメータの指定、表示遷移モード、表示（切り替わり）スピード、フェードインフェードアウトの有無をみて表示される。このうち読影医師の判断で、随時、設定をかえて表示することも可能である。たとえばスピードなどはマウスやソフトまたはハード的なダイアルなどで行う。また読影医師の操作により任意の画像に切り替わる機能も有する。画像から目をはなさないで制御できるようにすることが重要である。画像のハードコピーも随時とれる。空間的なマルチスライスの場合は、パラメータ種は全スライスにて同期して切り替わることが可能である。また異種時間軸方向に収集された多種パラメータ画像ならば時間軸方向のマルチスライス表示も選択可能である。
【００２９】
また表示の切り替える規則は、撮影パラメータのみでなく、スライス方向や時間軸方向などに変更可能であり、またそれらを任意に組み合わせてもよい。組み合わせ例としては図３（ｂ）に示したように撮影パラメータの違う画像を順番に切り替えて表示した後、そのあとにスライス位置を移動し、その位置の画像であって撮影パラメータの違う画像を順番に切り替えて表示する。表示方向や組み合わせも読影医師が任意に指定可能である。さらには本実施形態の構成のみならず、公知である時系列のダイナミック収集画像や、異種パラメータ画像のフュージョン表示も任意に選択組み合わせが可能である。
【００３０】
撮影パラメータの相違する画像を切り替え表示している最中に、時間方向やスライス方向などの切り替え規則を他の規則に変更することができる。撮影パラメータ、時間、スライス位置の３種の切り替え規則の変更を、入力部４に設置される図６（ａ）のボタンキーや図６（ｂ）のジョイスティックなどにより視点を画像からはなさずに操作可能としている。この機能により読影医師の診断行為が円滑にすることができる。
【００３１】
入力部４の適当な操作により、画像やマップの表示を、統計処理結果の表示に変更することができる（Ｓ１５）。関心領域（ＲＯＩ）が画像上の任意場所に設定されると、そのＲＯＩ内の表示対象画像又はマップの画素値から統計値がＲＯＩ処理部１１により計算され、数値的にまたは図５（ａ）、図５（ｂ）に示すように図形で表示される。ＲＯＩを設定し直す度にリアルタイムに切り替わる。グラフィックな表示結果はハードコピーも随時とれる。
【００３２】
なお、本実施形態のポイントの一つに、標準画像データベースの参照機能がある。被検体単位、正常者、疾患別のデータのレベルがある。ある標準画像との比較により正常／異常のレベルを定量的に診断することができる。画像の元の画素値のまま表示する絶対値表示モードでは特に必要はない（正規化の情報は必要）。しかし、マップ作成時には標準画像が必要とされる。参照比較方法としてはたとえば、標準画像と読影対象画像との画素値の比のマップを作る。
【００３３】
その場合、対象被検体データが正常に近い場合は１に近くなる。データにはある統計的ばらつきがあるので画素値の平均値（Ｐ値）が比の平均値と標準偏差ＳＤのグラフとともに表示される。医師がある疾患データを仮定した場合は読影医師に対象疾患が選択されその統計的な距離が検定される。複数パラメータを用いてまた計算機に蓄積されたデータベースを参照して最もマハラノビス距離(Mahalanobis Distance)の近い対象症例を選択する。マハラノビス距離は、多次元特徴量空間内での類似度を表す尺度である。疑わしき症例が可能性の大きい順に統計的確度とともに提示される。ＣＡＤの機能である。データベースとの指標間の比較結果の定量化にはパターン認識で使用される理論である多次元ベクトル間のマハラノビス距離が用いられる。異種パラメータをベクトルと考えると、データベースとの関係の解析には測定パラメータベクトルをそのまま使用してもよいが、必要ならばデータベースと比較データは、主成分分析（PCA）や独立成分分析（ICA）などを用いて次元圧縮などを行ってパラメータ数の低減やパラメータベクトル間の独立性を高めておく、などの共通の前処理を行ったものどうしで行うと効率がよい。
【００３４】
標準画像を使ったマップ作成では被検体の対象画像と標準画像との間で解剖学的な位置合わせが重要になる。位置合わせは標準データベースの形態に合わせるか、標準データを個々の被検体データにマッチングさせるかいずれかで実施する。空間分解能が大きくなるほど、細部のマッチングは個体差が無視できなるため、意味が小さくなり、大きな領域での比較になる。標準データとのマッチングは核医学ではＳＰＥＣＴやＰＥＴを用いて実際に行われてはじめているが、個人差を生じないほど空間分解能が小さいため、ある程度成功している。
【００３５】
データベースのレベルは装置については、単一の装置単位、メーカーの同一機種、同一モダリティ全体、共通パラメータがあれば異種モダリティ間、また、被検体の規模については同一被検体単位、病院単位、自治体、国内、最終的には世界レベルまで想定される。LANまたはINＴERNEＴなどを経由してアクセスされる。
【００３６】
以上、本実施形態の表示方法は、特に日常的にＴ１強調、Ｔ２強調、プロトン密度など撮影パラメータを収集し観察するＭＲＩに関して有効な表示方法であるため、ＭＲＩ画像を例に説明したが、ＭＲＩに限らず、Ｘ線ＣＴ、超音波、ＳＰＥＣＴ、ＰＥＴ、内視鏡など他の各種モダリティ単体の画像の表示、またはそれらの組みあわせた画像の表示、さらには医用画像に限らず、工業用の温度分布やＣＴ値、弾性分布など異種パラメータの同一部位画像表示に適用される。
【００３７】
本実施形態によれば次の１乃至４の少なくとも一つの作用効果を奏することができる。  
１．同一部位に関して様々な手法で撮影した複数種類の画像が画面の同一位置に同一サイズでページめくりのように切り替わり表示されるので、関心部位の画面位置に視点を定めたままで、撮影手法の違いによる細部の変化も見逃し難くなる。それにより医師による診断効率、能力の向上とともに、疲労低減をも図ることができる。
【００３８】
２.正常値との比や差で表示され、必要なら数値的に統計解析した優位差検定の結果も提示されるから、定性的でなく定量的な診断が可能となる
３．特定疾患毎に作成されてある基準画像と比較可能なので疾患の可能性も数値的に把握可能であるので、客観的診断が可能となる。コンピュータ支援診断(Computer Aided Diagnosis)への展開も可能となる。
【００３９】
４．従来の濃淡情報のあいまいな定性的データでなく、特定疾患毎に作成されてある標準画像と数値的な比較が可能なので疾患の可能性も数値的に把握可能だから、データに基づく医療診断治療の進展に寄与する。ひいては医療過誤問題も低減し、被検体の満足度も向上し、医療費も低減する。結果として、画像を用いた診断治療のデータに基づく医療、evidence-based medicine （EBM）が進む。
【００４０】
なお、上記実施形態では、同一部位の画像として説明を行ったが、同一部位を含む画像であればよい。例えば同一部位を含む画像であればスライス厚の異なる画像を用いても良い。
【００４１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４２】
１…制御部、２…画像記憶部、３…画像表示部、４…入力部、５…画像処理部、６…表示制御部、７…位置合わせ処理部、９…画素値補正部、１０…マップ作成部、１１…ＲＯＩ処理部、１２…リスライシング処理部。
【図１】
0005637928.tif 000002
【図２】
0005637928.tif 000003
【図３】
0005637928.tif 000004
【図４】
0005637928.tif 000005
【図５】
0005637928.tif 000006
【図６】
0005637928.tif 000007
【図７】
0005637928.tif 000008